【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に連結機構を介して連結され、各連結機構は、複数の連結された駆動シャフト区分と共に回転するように取り付けられる、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
上側レイル支持部の内側及び外側対と、
下側レイル支持部の内側及び外側対と、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動し、隣接する第１の刃保持アッセンブリと入れ子可能になるように、前記上側レイル支持部の内側及び外側対のうち一方の対により支持され、第２の刃保持アッセンブリが、前記下側駆動シャフトアッセンブリに沿って移動し、隣接する第２の刃保持アッセンブリと入れ子可能になるように前記下側レイル支持部の内側及び外側対のうち一方の対により支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項２】
前記フレームは、
前記上側駆動シャフトアッセンブリが回転可能に取り付けられている上側フレームと、
前記上側フレームに連結され、且つ、前記下側駆動シャフトアッセンブリが回転可能に取り付けられている下側フレームと、
を更に備える、請求項１に記載の装置。
【請求項３】
前記刃保持位置調整システムは、
前記フレーム内に取り付けられた上側ねじ切りシャフトと、
前記フレーム内に取り付けられた下側ねじ切りシャフトと、
を更に備え、
連係する前記ねじ切りシャフトに対する各刃保持アッセンブリの少なくとも一部分の回転が前記刃保持アッセンブリを連係する前記駆動シャフトアッセンブリに沿って移動させるように、前記刃保持アッセンブリの各々が前記ねじ切りシャフトの一つに螺合されている、請求項１に記載の装置。
【請求項４】
前記刃保持位置調整システムは、
複数の位置決めモーターであって、該モーターの各々は前記刃保持アッセンブリの一つに取り付けられ、前記プログラム可能なコントローラに作動的に連結されている、前記複数の位置決めモーターと、
複数のボールナットであって、該ボールナットの各々は前記刃保持アッセンブリの一つに取り付けられ、前記ねじ切りシャフトの一つに螺合され、連係する前記位置決めモーターに作動的に連結されている、前記複数のボールナットと、
を更に備え、
前記プログラム可能なコントローラによる前記位置決めモーターの各々の作動は、連係する前記駆動シャフトアッセンブリに沿って、連係する前記刃保持アッセンブリを移動させるため、連係する前記ボールナットを回転させる、請求項３に記載の装置。
【請求項５】
前記刃保持アッセンブリの各々の位置は、他の刃保持アッセンブリの各々から独立に、前記刃保持位置調整システムにより調整可能である、請求項１に記載の装置。
【請求項６】
金属シートを切断するための装置であって、
上側フレームと、
前記上側フレームに連結された下側フレームと、
前記上側フレーム内で回転するように取り付けられた上側駆動シャフトアッセンブリであって、該上側駆動シャフトアッセンブリは複数の上側駆動シャフト区分を有し、各々の上側駆動シャフト区分は、前記フレームで回転するため隣接する上側駆動シャフト区分に上側連結機構を介して連結され、各上側連結機構は、複数の連結された上側駆動シャフト区分と共に回転するように取り付けられる、前記上側駆動シャフトアッセンブリと、
前記下側フレーム内で回転するように取り付けられた下側駆動シャフトアッセンブリであって、
該下側駆動シャフトアッセンブリは複数の下側駆動シャフト区分を有し、各々の下側駆動シャフト区分は、前記フレームで回転するため隣接する下側駆動シャフト区分に下側連結機構を介して連結され、各下側連結機構は、複数の連結された下側駆動シャフト区分と共に回転するように取り付けられる、前記下側駆動シャフトアッセンブリと、
前記上側及び下側の駆動シャフトアッセンブリを回転させるため該上側及び下側の駆動シャフトアッセンブリに作動的に連結された駆動モーターと、
上側レイル支持部の内側及び外側対と、
下側レイル支持部の内側及び外側対と、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動し、隣接する第１の刃保持アッセンブリと入れ子可能になるように、前記上側レイル支持部の内側及び外側対のうち一方の対により支持され、第２の刃保持アッセンブリが、前記下側駆動シャフトアッセンブリに沿って移動し、隣接する第２の刃保持アッセンブリと入れ子可能になるように、前記下側レイル支持部の内側及び外側対のうち一方の対により支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記刃保持アッセンブリの各々一つに夫々取り付けられた複数の位置決めモーターと、
前記上側フレーム内に取り付けられた上側ねじ切りシャフトと、
前記下側フレーム内に取り付けられた下側ねじ切りシャフトと、
複数のボールナットであって、該ボールナットの各々は前記刃保持アッセンブリの一つに取り付けられ、前記ねじ切りシャフトの一つに螺合され、連係する前記位置決めモーターに作動的に連結され、連係する前記ねじ切りシャフトに対する各ボールナットの少なくとも一部分の回転は、連係する前記駆動シャフトアッセンブリに沿って前記刃保持アッセンブリを移動させる、前記複数のボールナットと、
前記駆動シャフトアッセンブリの各々に沿って前記刃保持アッセンブリを位置決めするため前記位置決めモーターの各々に作動的に連結されたプログラム可能なコントローラであって、該プログラム可能なコントローラによる前記位置決めモーターの各々の作動は、連係する駆動シャフトアッセンブリに沿って連係する刃保持アッセンブリを移動させるため連係する前記ボールナットを回転させる、前記プログラム可能なコントローラと、
を備え、
前記刃保持アッセンブリの各々の位置は、他の刃保持アッセンブリの各々から独立に調整可能である、装置。
【請求項７】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に連結機構を介して連結され、各連結機構は、複数の連結された駆動シャフト区分と共に回転するように取り付けられる、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記駆動シャフトアッセンブリの各々の前記隣接する駆動シャフト区分は、前記装置を保守点検するため互いに対して選択的に再位置決めされるように構成されている、装置。
【請求項８】
前記連結機構は、隣接する駆動シャフト区分を一緒に着脱可能に連結する、請求項７に記載の装置。
【請求項９】
前記連結機構は、カップリングであり、各駆動シャフト区分は、
前記駆動シャフト区分から軸方向に突出するスピンドルを更に備え、前記カップリングは、隣接する駆動シャフト区分の前記スピンドルを着脱可能に接続する、請求項８に記載の装置。
【請求項１０】
前記隣接する駆動シャフト区分をユーザが選択的に引き離すための駆動連結解放機構を更に備える、請求項７に記載の装置。
【請求項１１】
前記駆動シャフト連結解放機構は、
前記駆動シャフト区分の少なくとも１つに作動的に連結された、ねじを更に備え、
前記ねじの回転は、前記駆動シャフト区分を、前記隣接する駆動シャフト区分から軸方向に引く、請求項１０に記載の装置。
【請求項１２】
前記隣接する駆動シャフト区分は、該隣接する駆動シャフト区分の接続部に近接して配置された刃保持アッセンブリの一つを保守点検するため、互いから連結解放される、請求項７に記載の装置。
【請求項１３】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に着脱可能に連結されている、前記上側及び下側駆動シャフトアッセンブリと、
前記駆動シャフト区分の各々から軸方向に突出するスピンドルと、
隣接する駆動シャフト区分上の前記スピンドルを一緒に着脱可能に接続し、前記駆動シャフト区分に一体に回転するように取り付けられているカップリングと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断し、前記駆動シャフトアッセンブリの各々の隣接する駆動シャフト区分は、該隣接する駆動シャフト区分の接続部に近接して配置された刃保持アッセンブリの一つを保守点検するため、選択的に互いから連結解放される、前記複数の回転式刃と、
前記駆動シャフト区分の少なくとも１つに作動的に連結された、ねじであって、該ねじの回転は、前記駆動シャフト区分を、前記隣接する駆動シャフト区分から軸方向に引く、前記ねじと、
を備える、装置。
【請求項１４】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に着脱可能に連結され、各駆動シャフトアッセンブリの隣接する駆動シャフト区分は、前記装置を保守点検するため互いから選択的に連結解放されるように構成されている、前記上側及び下側駆動シャフトアッセンブリと、
隣接する駆動シャフト区分を一体に着脱可能に連結し、前記駆動シャフト区分とともに回転するカップリングと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項１５】
金属シートを切断するための装置であって、
上側フレームと、
前記上側フレームに連結された下側フレームと、
前記上側フレーム内で回転するように取り付けられた上側駆動シャフトアッセンブリであって、該上側駆動シャフトアッセンブリは複数の上側駆動シャフト区分を有し、各々の上側駆動シャフト区分は、前記フレームで回転するため隣接する上側駆動シャフト区分に上側連結機構を介して連結され、各上側連結機構は、複数の連結された上側駆動シャフト区分と共に回転するように取り付けられる、前記上側駆動シャフトアッセンブリと、
前記下側フレーム内で回転するように取り付けられた下側駆動シャフトアッセンブリであって、
該下側駆動シャフトアッセンブリは複数の下側駆動シャフト区分を有し、各々の下側駆動シャフト区分は、前記フレームで回転するため隣接する下側駆動シャフト区分に下側連結機構を介して連結され、各下側連結機構は、複数の連結された下側駆動シャフト区分と共に回転するように取り付けられる、前記下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記上側フレームは、異なる厚さを持つ金属シートを切断するため、前記第１及び第２の刃保持アッセンブリの刃の相対的垂直方向位置決めを調整するように、枢動シャフトを介して前記下側フレームに枢動式に取り付けられている、装置。
【請求項１６】
前記駆動シャフトアッセンブリの軸線に略垂直な方向に、前記第１及び第２の刃保持アッセンブリの刃の相対的垂直方向位置決めを調整するためのフレーム調整機構を更に備える、請求項１５に記載の装置。
【請求項１７】
前記フレーム調整機構は、
前記上側フレーム及び前記下側フレームの間に各々取り付けられた、一対のジャッキねじを更に備える、請求項１６に記載の装置。
【請求項１８】
前記ジャッキねじを同時に調整するため該ジャッキねじの各々に連結されたアクチュエータを更に備える、請求項１７に記載の装置。
【請求項１９】
前記下側フレームに対する前記上側フレームの移動では、これらのフレームが互いに対して略平行に維持される、請求項１５に記載の装置。
【請求項２０】
前記上側フレームは、前記上側及び下側駆動シャフトアッセンブリの各々からオフセットされている、請求項１９に記載の装置。
【請求項２１】
金属シートを切断するための装置であって、
上側フレームと、
前記上側フレームに枢動シャフトを介して枢動式に連結された下側フレームと、
前記上側フレーム内で回転するように取り付けられた上側駆動シャフトアッセンブリであって、該上側駆動シャフトアッセンブリは複数の上側駆動シャフト区分を有し、各々の上側駆動シャフト区分は、前記フレームで回転するため隣接する上側駆動シャフト区分に上側連結機構を介して連結され、各上側連結機構は、複数の連結された上側駆動シャフト区分と共に回転するように取り付けられる、前記上側駆動シャフトアッセンブリと、
前記下側フレーム内で回転するように取り付けられた下側駆動シャフトアッセンブリであって、
該下側駆動シャフトアッセンブリは複数の下側駆動シャフト区分を有し、各々の下側駆動シャフト区分は、前記フレームで回転するため隣接する下側駆動シャフト区分に下側連結機構を介して連結され、各下側連結機構は、複数の連結された下側駆動シャフト区分と共に回転するように取り付けられる、前記下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
異なる厚さを持つ金属シートを切断するため、前記駆動シャフトアッセンブリの軸線に略垂直な方向に前記第１及び第２の刃保持アッセンブリの刃の相対的垂直方向位置決めを調整するように前記上側フレーム及び前記下側フレームの間に各々取り付けられ、前記下側フレームに対する前記上側フレームの移動では、これらのフレームが互いに対して略平行に維持される、一対のジャッキねじと、
前記ジャッキねじを同時に調整するため該ジャッキねじの各々に連結されたアクチュエータと、
を備える、装置。
【請求項２２】
金属シートを切断するための装置であって、
上側フレームと、
前記上側フレームに連結された下側フレームと、
前記上側フレーム内で回転するように取り付けられた上側駆動シャフトアッセンブリであって、該上側駆動シャフトアッセンブリは複数の上側駆動シャフト区分を有し、各々の上側駆動シャフト区分は、前記フレームで回転するため隣接する上側駆動シャフト区分に上側連結機構を介して連結され、各上側連結機構は、複数の連結された上側駆動シャフト区分と共に回転するように取り付けられる、前記上側駆動シャフトアッセンブリと、
前記下側フレーム内で回転するように取り付けられた下側駆動シャフトアッセンブリであって、
該下側駆動シャフトアッセンブリは複数の下側駆動シャフト区分を有し、各々の下側駆動シャフト区分は、前記フレームで回転するため隣接する下側駆動シャフト区分に下側連結機構を介して連結され、各下側連結機構は、複数の連結された下側駆動シャフト区分と共に回転するように取り付けられる、前記下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備え、
前記上側フレームは、異なる厚さを持つ金属シートを切断するため、前記第１及び第２の刃保持アッセンブリの刃の相対的垂直方向位置決めを調整するように、前記下側フレームに枢動シャフトを介して枢動式に連結されている、装置。
【請求項２３】
金属シートを切断するための装置であって、
上側フレームと、
前記上側フレームに連結された下側フレームと、
前記上側フレーム内で回転するように取り付けられた上側駆動シャフトアッセンブリ、及び、前記下側フレーム内で回転するように取り付けられた下側駆動シャフトアッセンブリであって、該駆動シャフトアッセンブリの各々は複数の駆動シャフト区分を有し、各々の区分は、連係する前記フレームで回転するため隣接する駆動シャフト区分に着脱可能に連結されている、前記上側及び下側駆動シャフトアッセンブリと、
隣接する駆動シャフト区分を一体に着脱可能に連結し、前記駆動シャフト区分とともに回転するカップリングと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記駆動シャフトアッセンブリの各々の隣接する駆動シャフト区分は、前記装置を保守点検するため互いから選択的に連結解放されるように構成され、
前記上側フレームは、異なる厚さを持つ金属シートを切断するため、前記第１及び第２の刃保持アッセンブリの刃の相対的垂直方向位置決めを調整するように、前記下側フレームに対して移動可能である、装置。
【請求項２４】
金属シートを切断するための装置であって、
上側フレームと、
前記上側フレームに連結された下側フレームと、
前記上側フレーム内で回転するように取り付けられた上側駆動シャフトアッセンブリ、及び、前記下側フレーム内で回転するように取り付けられた下側駆動シャフトアッセンブリであって、該駆動シャフトアッセンブリの各々は複数の駆動シャフト区分を有し、各々の区分は、夫々のフレームで回転するため隣接する駆動シャフト区分に着脱可能に連結され、前記駆動シャフトアッセンブリの各々の隣接する駆動シャフト区分は、前記装置を保守点検するため互いから選択的に連結解放されるように構成されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断し、前記上側フレームは、異なる厚さを持つ金属シートを切断するため、前記第１及び第２の刃保持アッセンブリの刃の相対的垂直方向位置決めを調整するように、前記下側フレームに対して枢動シャフトを介して枢動式に連結されている、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項２５】
金属シートを切断するための装置であって、
フレームと、
前記上側フレーム内で回転するように取り付けられた上側駆動シャフトアッセンブリであって、該上側駆動シャフトアッセンブリは複数の上側駆動シャフト区分を有し、各々の上側駆動シャフト区分は、前記フレームで回転するため隣接する上側駆動シャフト区分に上側連結機構を介して連結され、各上側連結機構は、複数の連結された上側駆動シャフト区分と共に回転するように取り付けられる、前記上側駆動シャフトアッセンブリと、
前記下側フレーム内で回転するように取り付けられた下側駆動シャフトアッセンブリであって、
該下側駆動シャフトアッセンブリは複数の下側駆動シャフト区分を有し、各々の下側駆動シャフト区分は、前記フレームで回転するため隣接する下側駆動シャフト区分に下側連結機構を介して連結され、各下側連結機構は、複数の連結された下側駆動シャフト区分と共に回転するように取り付けられる、前記下側駆動シャフトアッセンブリと、
前記上側及び下側の駆動シャフトアッセンブリを回転させるため該上側及び下側の駆動シャフトアッセンブリに作動的に連結された駆動モーターと、
上側レイル支持部の内側及び外側対と、
下側レイル支持部の内側及び外側対と、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動し、隣接する第１の刃保持アッセンブリと入れ子可能になるように、前記上側レイル支持部の内側及び外側対のうち一方の対により支持され、第２の刃保持アッセンブリが、前記下側駆動シャフトアッセンブリに沿って移動し、隣接する第２の刃保持アッセンブリと入れ子可能になるように、前記下側レイル支持部の内側及び外側対のうち一方の対により支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記刃保持位置調整システムを制御するためのコントローラと、
を備える、装置。
【請求項２６】
金属シートを切断するための装置であって、
上側フレームと、
前記上側フレームに枢動シャフトを介して連結された下側フレームと、
前記上側フレーム内で回転するように取り付けられた上側駆動シャフトアッセンブリであって、該上側駆動シャフトアッセンブリは複数の上側駆動シャフト区分を有し、各々の上側駆動シャフト区分は、前記フレームで回転するため隣接する上側駆動シャフト区分に上側連結機構を介して連結され、各上側連結機構は、複数の連結された上側駆動シャフト区分と共に回転するように取り付けられる、前記上側駆動シャフトアッセンブリと、
前記下側フレーム内で回転するように取り付けられた下側駆動シャフトアッセンブリであって、
該下側駆動シャフトアッセンブリは複数の下側駆動シャフト区分を有し、各々の下側駆動シャフト区分は、前記フレームで回転するため隣接する下側駆動シャフト区分に下側連結機構を介して連結され、各下側連結機構は、複数の連結された下側駆動シャフト区分と共に回転するように取り付けられる、前記下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
異なる厚さを持つ金属シートを切断するため、前記第１及び第２の刃保持アッセンブリの刃の相対的垂直方向位置決めを調整するように、前記下側フレームに対して前記上側フレームを移動するためのフレーム移動手段と、
を備える、装置。